【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】
第１の記録媒体に記録されたプログラム情報を再生する第１再生手段と、
前記第１再生手段により再生されたプログラム情報を前記第２の記録媒体に記録する記録手段と、
前記第２の記録媒体に記録されたプログラム情報を再生する第２再生手段と、
前記第１の記録媒体に記録されたプログラム情報を通常の再生速度よりも速い速度で再生させて前記第２の記録媒体に記録し、前記第２の記録媒体に記録された当該プログラム情報を通常の再生速度で再生させるように制御する制御手段と、を備え、
前記制御手段は、前記通常の再生よりも速い速度で前記第２の記録媒体に前記プログラム情報を記録しているときに、前記第２の記録媒体への記録が完了したプログラム情報を対象としたユーザー等による操作手段の操作を許可するとともに、前記ユーザー等による操作に応じた動作を行わせるように制御することを特徴とする情報記録再生装置。
【請求項２】
前記制御手段は、前記第１の記録媒体に記録されたプログラム情報を識別する識別情報を前記プログラム情報と共に前記第２の記録媒体に記録させ、前記第２の記録媒体への記録が完了したプログラム情報に対する前記識別情報を表示手段に表示させることを特徴とする請求項１記載の情報記録再生装置。
【請求項３】
第１の記録媒体に記録されたプログラム情報を再生し、第２の記録媒体に前記再生されたプログラム情報を記録する情報記録再生方法であって、
前記第１の記録媒体に記録されたプログラム情報を通常の再生速度よりも速い速度で再生させて前記第２の記録媒体に記録する第１の工程と、
前記第１の工程により第２の記録媒体に記録されたプログラム情報を通常の再生速度で再生させる第２の工程と、
前記通常の再生速度より速い記録速度によるプログラム情報の記録中に、前記第２の記録媒体への記録が完了したプログラム情報を対象としたユーザー等による操作手段の操作を許可する第３の工程と、
前記ユーザー等による操作に応じた動作を行わせる第４の工程と、を備えたことを特徴とする情報記録再生方法。
【請求項４】
第１の記録媒体に記録されたプログラム情報を再生し、第２の記録媒体に前記再生されたプログラム情報を記録する情報記録再生手順プログラムを記録したプログラム記録媒体であって、
前記情報記録再生手順プログラムは、
前記第１の記録媒体に記録されたプログラム情報を通常の再生速度よりも速い速度で再生させて前記第２の記録媒体に記録する第１の手順と、
前記第１の工程により第２の記録媒体に記録されたプログラム情報を通常の再生速度で再生させる第２の手順と、
前記通常の再生速度より速い記録速度によるプログラム情報の記録中に、前記第２の記録媒体への記録が完了したプログラム情報を対象としたユーザー等による操作手段の操作を許可する第３の手順と、
前記ユーザー等による操作に応じた動作を行わせる第４の手順と、を有することを特徴とする情報記録再生手順プログラムを記録したプログラム記録媒体。
【手続補正２】
【補正対象書類名】明細書
【補正対象項目名】０００３
【補正方法】変更
【補正の内容】
【０００３】
このハードディスクを搭載した情報記録再生装置では、例えば、ＣＤに記録されたプログラム情報を各種フォーマットに基づき圧縮し、ハードディスクに記録させる。そして、ハードディスクに記録されたプログラム情報を再生する。その圧縮方式として、現時点で代表的なものに、ＭＰ３（ＭＰＥＧ：Moving  Picture  Experts  Group；オーディオ・レイヤIII）、ＡＴＲＡＣ（Adaptive  Transform  Acoustic  Coding）が改良されたＡＴＲＡＣ３があり、例えば、１分間に演奏される音楽情報をそれらの圧縮方法によって圧縮し、ハードディスクに記録した場合、そのハードディスクにおける記憶容量は約１Ｍバイトに相当する。従って、１０Ｇバイト程度の記憶容量を持つハードディスクを想定した場合、１曲の演奏時間を５分と仮定すれば約２０００曲の記録が可能となる。
【手続補正３】
【補正対象書類名】明細書
【補正対象項目名】０００７
【補正方法】変更
【補正の内容】
【０００７】
【課題を解決するための手段】
上記課題を解決するために本発明に係る情報記録再生装置は、第１の記録媒体に記録されたプログラム情報を再生する第１再生手段と、第１再生手段により再生されたプログラム情報を第２の記録媒体に記録する記録手段と、第２の記録媒体に記録されたプログラム情報を再生する第２再生手段と、第１の記録媒体に記録されたプログラム情報を通常の再生速度よりも速い速度で再生させて第２の記録媒体に記録し、第２の記録媒体に記録された当該プログラム情報を通常の再生速度で再生させるように制御する制御手段と、を備え、制御手段は、通常の再生速度以上の記録速度によるプログラム情報の記録中に、第２の記録媒体への記録が完了したプログラム情報を対象としたユーザー等による操作手段の操作を許可するとともに、ユーザー等による操作に応じた動作を行わせるように制御することを特徴とする。
【手続補正４】
【補正対象書類名】明細書
【補正対象項目名】００１０
【補正方法】変更
【補正の内容】
【００１０】
また、上記目的を達成するため本発明の情報記録再生方法は、第１の記録媒体に記録されたプログラム情報を再生し、第２の記録媒体に前記再生されたプログラム情報を記録する情報記録再生方法であって、前記第１の記録媒体に記録されたプログラム情報を通常の再生速度よりも速い速度で再生させて前記第２の記録媒体に記録する第１の工程と、第１の工程により第２の記録媒体に記録されたプログラム情報を通常の再生速度で再生させる第２の工程と、通常の再生速度より速い記録速度によるプログラム情報の記録中に、第２の記録媒体への記録が完了したプログラム情報を対象としたユーザー等による操作手段の操作を許可する第３の工程と、ユーザー等による操作に応じた動作を行わせる第４の工程とを備えたことを特徴とする。
【手続補正５】
【補正対象書類名】明細書
【補正対象項目名】００１２
【補正方法】変更
【補正の内容】
【００１２】
また、上記目的を達成させるため本発明の情報記録再生手順プログラムを記録したプログラム記録媒体は、第１の記録媒体に記録されたプログラム情報を再生し、第２の記録媒体に再生されたプログラム情報を記録する情報記録再生手順プログラムを記録したプログラム記録媒体であって、前記第１の記録媒体に記録されたプログラム情報を通常の再生速度よりも速い速度で再生させて前記第２の記録媒体に記録する第１の手順と、第１の手順により第２の記録媒体に記録されたプログラム情報を通常の再生速度で再生させる第２の手順と、通常の再生速度より速い記録速度によるプログラム情報の記録中に、第２の記録媒体への記録が完了したプログラム情報を対象としたユーザー等による操作手段の操作を許可する第３の手順と、ユーザー等による操作に応じた動作を行わせる第４の手順とを有することを特徴とする。
【手続補正６】
【補正対象書類名】明細書
【補正対象項目名】００２５
【補正方法】変更
【補正の内容】
【００２５】
制御マイコン１５は、システム制御マイコン３１から指示に従い、サーボ制御回路１４を制御する。そして、サーボ制御回路１４は、その指示に従ってスピンドルモータ１１、ピックアップ１３等を駆動させて光ディスク１２に記録されているプログラム情報を再生させ、復調と誤り訂正の処理を施したデータを制御セクション４のデコーダ回路３２に供給する。このとき、制御マイコン１５は、スピンドルモータ１１の回転数を光ディスク１２の所定の線速度で回転させるために、ある決められた数値として設定する。デコーダ回路３２は、サーボ制御回路１４から供給されたデータをエラー訂正バッファメモリ３５に供給し、そして、エラー訂正バッファメモリ３５により所定の順番にて配列し直されたデータを復号してＭＰ３デコーダ３３又はＤＡＣ３４に供給する。ＭＰ３デコーダでは、圧縮処理が施されたデータを伸張してＤＡＣ３４に供給し、ＤＡＣ３４では、その供給されたデータをアナログデータに変換して図示せぬアンプ等に出力する。
【手続補正７】
【補正対象書類名】明細書
【補正対象項目名】００２６
【補正方法】変更
【補正の内容】
【００２６】
また、ユーザー等により選択されているソースが、記録再生セクション３による再生を行うものであるとシステム制御マイコン３１が認識した場合は、切換えスイッチＹをＤＡＣ３９側の信号ラインと接続するように制御するとともに、ハードディスクドライブＡを制御してハードディスクＢに記録されているプログラム情報を再生させる。そして、再生されたプログラム情報（例えば、ＡＴＲＡＣ３等の規格に準拠した、圧縮変換されたデータ）をＡＴＲＡＣ３デコーダ３８に供給する。ＡＴＲＡＣ３デコーダ３８は、その供給されたデータを伸張してＤＡＣ３９に供給し、ＤＡＣ３９では、その供給されたデータをアナログデータに変換して図示せぬアンプ等に出力する。このとき、システム制御マイコン３１は、ハードディスクドライブＡによりハードディスクＢに記録されているプログラム情報を再生する再生速度を、上記した光ディスク１２に記録されているプログラム情報を再生する再生速度と同じ速度として再生させるように、ハードディスクドライブＡを制御する。
【手続補正８】
【補正対象書類名】明細書
【補正対象項目名】００２９
【補正方法】変更
【補正の内容】
【００２９】
デコーダ回路３２は、サーボ制御回路１４から供給されたデータを復号し、システム制御マイコン３１に供給する。システム制御マイコン３１は、デコーダ回路３２より供給されたデータをＡＴＲＡＣ３等の規格に準拠したデータに圧縮変換する。そして、その変換されたデータをハードディスクＢに記録するようにハードディスクドライブＡを制御し、また、先にサーボ制御回路１４から供給された識別情報を、そのデータに対応付けるようにしてハードディスクＢに記録させる。そして、その識別情報に基づき、ハードディスクＢへの記録が完了してトラック番号を内蔵メモリに記憶する。ハードディスクドライブＡは、プログラム情報をハードディスクＢに記録するとともに、ハードディスクＢに記録されたデータを上記したプログラム情報を再生する通常の再生速度と同じ速度にて読取り、ＡＴＲＡＣ３デコーダ３８はその供給されたデータを伸張してＤＡＣ３９に供給し、ＤＡＣ３９は、その供給されたデータをアナログデータに変換して出力する。
【手続補正９】
【補正対象書類名】明細書
【補正対象項目名】００３８
【補正方法】変更
【補正の内容】
【００３８】
例えば、光ディスク１２に記録されているトラック番号「６」のプログラム情報をハードディスクＢに高速記録し、ハードディスクＢに記録されたトラック番号「４」のプログラム情報の再生が行われていたときに、ユーザー等がトラック指定ボタンによりトラック番号「５」を指定した場合、システム制御マイコン３１は、トラック番号「５」のプログラム情報がハードディスクＢに記録されていることを確認し、トラック番号「６」のプログラム情報の高速記録を行わせながら、トラック番号「４」の再生を止めてトラック番号「５」のプログラム情報の先頭位置から再生を開始させる（ステップＳ４０）。なお、ユーザー等がトラック指定ボタンを操作してトラック番号「６」以上のトラック番号を指定した場合、そのトラック番号のプログラム情報はハードディスクＢに高速記録されている最中であるか、又は未だ記録されていない状態にあることを判断して、表示部に「現在記録中です」、又は「未だ記録されていません」等の表示を行わせて、そのユーザー等の操作に応じた処理動作は行わない。